(57)【要約】      （修正有）【課題】寝付きの悪い人に、寝つきを早くし、深い睡眠へと導き、美容と健康に役立てようとする器具を提供する。【解決手段】寝付きのわるい人の枕もとや鼻孔に最も近いところにタマネギなどの容易に手にはいるものを細く刻み、ごく小さな箱１に入れて、箱に設けた通気口から出る揮発した精油成分を嗅がせ、精油の精神安定作用により眠りを誘い、ひいては睡眠を深く導こうとするもの。箱の機能性形状に手を触れ遊ぶうちに、手のひら指のツボを刺激し、精神安定作用と、お腹の働きをよくし、より健康へ導こうとするもの。【選択図】図１
2009178528.tif 000002
【特許請求の範囲】
【請求項１】
上箱の前方中央の鼻柱受け凹部。下箱の前方中央の鼻柱受け凹部。
下箱中央近くに鼻穴探りの突起を少し離した形で左右に一つずつ設ける。
前面図で見るように、箱底が箱の中央にかけて緩やかにカ−ブを描く形の構造。
箱を手の中に持ち遊ぶ箱であるため箱の隅々が丸みをもった形で通気口を設けた箱であり箱を使用する人の手の親指ほどか親指大のごく小さな箱。
【発明の詳細な説明】
【技術分野】
【０００１】  本発明は、眠りについてのものである。
【背景思考】
【０００２】  都市には四六時中眠らない街が存在するという。しかし人は睡眠を取らなければ健康で生きていけない。
【発明の開示】
【発明が解決しようとする課題】
【０００３】  人の睡眠時間は年毎に少なくなっている。今は、人に刺激の多い時代である。
目まぐるしい程に多事に追われる日々。多くの人は、できることなら睡眠時間を削ってでも、あれもしたい、これもしたいと思う。しかし、健康な体を維持するには睡眠をとらなければならない。そこでだれもが短時間で効率よく睡眠をとりたいと考える。深い眠りをしたいと思う。
こんな思いで床につくとなかなか眠れない、眠ろうとすればするほど寝つけない。睡眠をとる時間が少ないのに眠れない。こんなことで睡眠不足になってしまう。
男女における睡眠不足と感じていたり、睡眠不足をうったえたりする割合はどちらが多いのか、圧倒的に女性の方が睡眠不足と感じている人が多いということである。
健康な体を維持するには睡眠をとらなければならない。
このことだけでなく、睡眠は美容にも影響する。よく眠れた朝と、眠れなかった朝では体調でわかる、鏡に写した顔を見てがっかりしてしまうほどである。こんな朝は化粧ののりもよくない。寝不足は老け顔になり実際の歳よりも年齢高く見られやすい。これは女性にとって我慢しがたいものである。
こうした日々がつづくとついには、たやすく手に入る睡眠薬に頼る。睡眠薬は飲んですぐにきいてくるので床につく直前に飲めばよい便利な薬である。漢方薬においても眠りをさそうものがある。この方はおだやかなききめであるようだがこちらも飲み薬である。
睡眠薬は飲みつづけるうちにききめがよわくなるとする習慣性がある。これを人々は気にしている。できることなら睡眠薬に頼らないでよい眠り、ここちよい眠りがしたい。
このことで、いつまでも若々しい美しい肌でいたい、だれもが望むことである。健康と美容、切ってもきれない関係である。これがここでの課題である。
【課題を解決するための手段】
【０００４】  人は光も匂いも素早く感じとる能力をもちあわせている。太陽の光によって体内時計が動き、朝に目覚め宵に眠くなり夜に熟睡する。こうした習慣が身についている人は健康でいられることであろう。子供の頃、母親が台所で料理するときの匂いで次の食事がなにかを知ることができた。
本発明は、人がもつ匂いにたいしての能力を生かし活用するものである。
人が良い匂いをかぐと一瞬にして頭脳が良い香りとして感じ取り一種の興奮状態になり、次いで好ましいとして心安らかな気分になるのではないか。いずれにしても良い匂いは人の気持ちを和らげ安心させる。
人の気持ちを和らげ安心させる良い匂いを、寝ようとしても寝つけない、眠りが浅い人に嗅がせて寝つきを良くし眠り深くしようとするのが本発明である。【０００５】  人の気持ちを和らげる良い匂いを発するものは数多い。しかも自然の中に多く存在する。
サワラの木、ヒノキの常緑樹林。スギノキの針葉樹林は良い香りが辺りを包む。花畑は言うに及ばず。草地には良い香りがし、良い香りを放つものが多い。
ここでは良い匂いがするというだけでなく気持ちをやわらげ眠気を誘い、しかも容易に手に入るものに焦点をあててみることにする。
シュンギク、ミツバ、ミョウガ、ネギ、タマネギなどである。このなかで最もなじみふかいのがタマネギである。
寝つきがわるい人の枕もとや鼻孔に最も近いところに。タマネギを細く刻み、ごく小さな箱に入れて、箱に設けた通気口から出る揮発した精油成分を嗅がせ、精油の精神安定作用により眠りを誘い、ひいては睡眠を深く導こうとするのが目的であり課題を解決する手段である。発明はタマネギなどを利用し睡眠ひいては健康をもたらすエコ発明である。
【発明の効果】
【０００６】  よい眠りをしている人は表情があかるく元気である。免疫力が強く病気になりにくい。
よい眠りをしている人は美しい、いかにも健康そうにみえる。これが長命にむすびつく。
そのもとが自然界に多く存在するものであったり、日常たやすく手に入るなじみのものであることがよく。多くの人が理解し利用しやすい。
前項［０００５］の、常緑樹のサワラ、ヒノキ、針葉樹のスギノキ、これらの林はよい香りがすると記した。これらの木の葉は独特のよい香りがする。お寿司やさんの、ねたケ−スに入れられているのを時々見かける。これは、ねた同士の匂いの移るのをさけ、雑菌の繁殖をおさえるとともに、葉に含ませた水分が、ねたの乾燥を防ぎ、旨さを逃がさない工夫、葉の強い緑が活きのよさを知らせる。日本人が昔から自然のなかで生きてきた知恵である。
サワラ、ヒノキ、スギノキ、これらの木は葉だけでなく幹の部分、皮の部分もよい香りがする。これらの木の幹の部分、皮の部分をマッチ棒より小さめにそぎ、小分けして健康食品店や薬局で販売するなどということが近いかも知れない。そうなれば、小分けの木片包みを本発明のごく小さな箱に入れ、持ち歩くなどということも考えられる。
これは都市に住む人に自然への関心をよりたかめることができる。さらには、都市地方を問わず日本全体の人に自然が与えてくれるものがいかに多いかを自覚させ、自然の大切さを社会全体に広く知らしめるものである。
本発明は、たやすく手に入るなじみのものであったり、自然界にあるものを用い活用して、睡眠をうながすものである。
近年、匂いに関する研究が進んでいる。自然のもののにおいをまねて、自然のものの匂いの合成が少なからず可能になってきたようにいわれる。
合成された匂いでも人体などに悪い影響がなければ利用が可能である。合成された匂いを紙や布や綿に染みこませたものを薬局などで買えるようになれば、本発明のごく小さな箱に入れて安眠のために利用したり、外出時の香としてひろく利用されるようになる。
（本発明の名称に「玩具箱」の言葉を引用しているが、本発明は幼児用のものではない。眠ろうとして寝つけないことを深刻に考えることのないよう気をそらし休めるためである、さらには、人の幼児回帰の思いをわずかに面白く満たそうとするものであり人々が本発明に親しみをもってもらうためである）。
この項［０００６］末尾近く、いまだ市場に流通のないものや匂いの研究に期待する部分があるが、以上の多くをもって本発明の効果とする。
【発明の箱の形状機構と使用方】
【０００７】  発明の箱はプラスチックを素材として成形する。箱は。下箱、図２の符号２。と、上箱、図１の符号１、及び、図２の符号１、からなり。上箱はフタの機能を担う。
上箱の前方中央に鼻柱受け凹部、符号４を設ける。図２の下箱の前方中央にも鼻柱受け凹部、符号４を設ける。
図２の下箱の中央近くに、鼻穴探りの突起、符号３を左右に離した形で設ける。
図２の下箱前方には通気口、符号５を箱の中央より離して左右にかけて設ける。
図２の前面図に見るように、箱底が箱の中央にかけて緩やかにカ−ブを描く形の構造である。符号６は、それを知らしめるカ−ブ曲線。
【０００８】  前項［０００５］に記した。シュンギク、ミツバ、ミョウガ、ネギ、タマネギ、などのなかから一種を選び細切にし小分けしてティシュなどにかるく包み（包まなくてもよい）箱の中、図４の符号７に入れる。フタを閉じれば、図２の正面図、図３の側面図、の状態となる。箱の中にタマネギなどを入れると、通気口、図２の符号５からタマネギなどからの精油成分が出るようになる。これを横になって寝た状態の人の枕もとなどに置いて揮発する精油成分を嗅がせる。これで、前項で記したように精油の精神安定作用により眠りを誘う。
タマネギなど入れた状態の、図２の箱を枕の上に置いた際、箱が枕の上で安定するように、図２の符号６の曲線が示すように箱底が中央にかけてカ−ブを描く形の構造である。
タマネギなどを入れた状態の箱は、寝た状態の人の枕の上に置くだけでなく、胸元に置いたり、下顎の上に置いたり、上顎の上いわゆる鼻の下の鼻穴に最も近いところに置けるような設計構造になっている。そのため、図２の符号６の曲線が示す構造である。
図１の符号３、図２の符号３などは、鼻穴探りの突起であり、鼻穴深く挿入するものではなく、寝た状態の人が、それとなく（考えることなく）鼻穴を含め鼻の位置を探ることができるほどのものである。
図１の符号４は、鼻柱に箱が強く接するのを避けるための鼻柱受け凹部である。これも、それとなく（考えることなく）鼻の位置を探ることのできるほどのものである。箱を上顎の上の鼻穴の近くに置く場合、箱の通気口が鼻の先端に接するほどにちかずけて使用する必要はない、少し離して置くもよしとする。箱は小さく軽量のため息を大きくはくと吹き飛ぶほどであるため呼吸にはなんら影響がない。下顎や上顎などに箱を置くと顔を横に傾けると、いとも簡単に落ちてしまう。落ちてしまってよい。落ちたのが気にかからないようだと眠りに入る。気にかかるようだともとにもどしたり、手に持って気楽に遊ぶうちに揮発精油の作用で安らかな眠りにつくであろう。
本発明の箱を手にもって遊ぶことを大いにすすめたい。まず、てもちぶさたの解消になる。そのため気がまぎれるため心が落ち着く。くわえて、手のひらや指には多くのツボがあり箱を手にして遊ぶうちにツボを刺激し心を安らかにする。このためお腹のはりの解消につながる。このため呼吸が楽になる。女性には、冷え性、運動不足などで便秘ぎみの人が多い。手のひら、指を刺激すると腸の運動が活発になり便秘の解消につながる。美容にとってこれほどよいことはない。
発明の箱には、鼻穴探りの突起、鼻柱受け凹部、箱の隅々が丸み設計になっている。これらが、手のひら、指を適度に刺激する。大きさもほどよく手になじむ。こうした多機能の製品が今の社会は要求している。今の社会にこうした製品がないことのほうが不思議でさえあるのではないか。眠りに至るには気の高まりを静めることがもっともよく、本発明の名称の「玩具箱」の言葉の引用もそのためである。箱は寝た状態の人の枕もとや胸もと、顔に接して下顎、上顎に置くこともあるので箱の隅々は丸みをつけた設計になっている。
【産業上の利用可能性】
【０００９】  発明の箱はプラスティクを素材にして成形する。
あるていどの制約はあるにしても、プラスティクは成形しやすい。箱をデザインするにしてもかなり自由なデザインが可能であり装飾もしやすい。そのため安価に大量生産ができる。箱の大きさは、図１、図２、図３、図４、で見る大きさがほぼ実物大で、箱を使用する人の手の親指ほど、あるいは、親指大である。
箱は小さく軽量のために力の弱い子供でも持ち運びが容易である。そのため、発明の目的である、横になって寝ている人の睡眠を助けるだけでなく、戸外に出て活動する人にも利用しやすいものである。そのため箱の中に入れるものも眠気を誘うものでなく、清々しいよい香りのするものを箱に入れて身につけたり、ポケットに入れたり、ハンドバックに忍ばせたりし用いることができる。さらには、ケイタイのトラップにつけたり、キイホルダ−につけたり、カバンやボゥシにつけることも可能である。このため、利用範囲がきわめてひろい。
自然のなかにはよい香りのするものが多い。山野を歩きよい香りのするものを自然を痛めないようにきおくばりながら採取し箱に入れて楽しむこともできる。これは、自然のありがたさを知り知識をひろくもつことにつながるものであり産業の発展拡大につながるもととなる。前項の［０００６］で記したが、合成された匂いを紙や布や綿に染みこませたものを薬局などで買えるようになれば、本発明のごく小さな箱に入れて外出時の香としてひろく利用できる。薬局でよい香りのするごく小さなものが購入できるようになってほしい。
図５は、通気口をわかりやすくするため拡大した一部をカットした図である。発明の箱を戸外で使用する際、箱の中に入れた匂いを発する物質が乾燥しすぎないように通気口を前方のみとし、前方の通気口においても通気口の面積を少なくすることも考えられる。そのため、通気口を閉じたり開いたりする機能も必要となると考えられる。戸外で強い匂いを多く出すと他の人の迷惑になる、こうしたことも考慮したいものである。
【図面の簡単な説明】
【００１０】
【図１】  箱を上から見た図で上面図、矢印は前方を示す。
【図２】  箱を前方から見た図で前面図。
【図３】  箱を横から見た図で側面図。
【図４】  箱のフタを開けた図で箱の中が見えるように一部をカットした図の側面図。（図１、図２、図３、図４、は、ほぼ実物大）。
【図５】  箱の通気口がわかるように一部をカットした側面図、点線矢印は通気の一端を示す。（図５、は、拡大図）。
【符号の説明】
【００１１】  １  上箱でありフタ。
２  下箱。
３  鼻穴探りの突起。
４  鼻柱受け凹部。
５  通気口。
６  箱底が中央にかけて緩やかにカ−ブを描く形の構造を示す曲線。
７  箱の中。
【図１】
2009178528.tif 000003
【図２】
2009178528.tif 000004
【図３】
2009178528.tif 000005
【図４】
2009178528.tif 000006
【図５】
2009178528.tif 000007